(57)【要約】【課題】  本発明は、固くて長細い異物が吸引通路内に流入されることを未然に遮断するために真空掃除機の吸引ブラシを提供し、また、タービンファンの回転数を増大させることのできる真空掃除機の吸引ブラシを提供する。【解決手段】  本発明は被掃除面を掃除するためのクリーニング部材が結合され、底面に吸引口および被掃除面のゴミ含有空気を前記吸引口にガイドするためのゴミ流入溝が形成され、クリーニング部材を回動させるために吸引モータの吸引力によって駆動されるタービンファンを備えた真空掃除機の吸引ブラシであって、吸引通路に固いながらも長細い異物の流入を遮断すべく、吸引口周辺の吸引空間を縮小するために、ゴミ誘導溝内で吸引口と間隔をおいて吸引口に対応する位置に形成される異物係止部を更に含む。【選択図】      図６
2007185486.tif 000002
【特許請求の範囲】
【請求項１】
被掃除面を掃除するためのクリーニング部材が結合され、底面に吸引口および被掃除面のゴミ含有空気を前記吸引口にガイドするためのゴミ流入溝が形成され、前記クリーニング部材を回動させるために吸引モータの吸引力によって駆動されるタービンファンを備えた真空掃除機の吸引ブラシであって、
前記吸引通路に固いながらも長細い異物の流入を遮断すべく、前記吸引口周辺の吸引空間を縮小するために、前記ゴミ誘導溝内で前記吸引口と間隔をおいて前記吸引口に対応する位置に形成される異物係止部を更に含むことを特徴とする真空掃除機の吸引ブラシ。
【請求項２】
前記異物係止部の幅は前記吸引口の幅より大きく形成され、下端が前記吸入口の下端より低い位置まで形成されたことを特徴とする請求項１に記載の真空掃除機の吸引ブラシ。
【請求項３】
前記異物係止部は両側面が前記吸引口に向って斜めになっていることを特徴とする請求項１または２に記載の真空掃除機の吸引ブラシ。
【請求項４】
前記異物係止部は底面が前記吸入口に向って斜めになっていることを特徴とする請求項１または２に記載の真空掃除機の吸引ブラシ。
【請求項５】
前記タービンファンが、
１対の支持円板と、
１対の支持円板との間で、一端が前記１対の支持円板のいずれか１つに結合し、他端が重なり合うよう交互に配置された多数の翼部とを含むことを特徴とする請求項１に記載の真空掃除機の吸引ブラシ。
【請求項６】
前記吸引通路を複数の通路に設定するため、前記吸引通路内に前記吸引通路の長手方向に沿って形成された隔壁を更に含むことを特徴とする請求項１に記載の真空掃除機の吸引ブラシ。
【請求項７】
吸引口および被掃除面のゴミ含有空気を前記吸引口にガイドするためのゴミ流入溝が形成され、前記吸引口に流入されるゴミ含有空気を集塵装置側にガイドするための吸引通路を有する胴体と、
前記胴体の吸引通路上に回転自在に設けられたタービンファンと、
前記胴体の上部をカバーし、前記吸引通路をなすカバーと、
前記吸引通路を複数の通路に設定すべく、前記吸引通路内に前記吸引通路の長手方向に沿って形成された隔壁と、
前記胴体下部の両側にそれぞれ回転自在に設けられ、下面に雑巾を着脱自在に設けるための１対の雑巾支持板と、
前記胴体に設けられ、前記タービンファンの回転力を前記１対の雑巾支持板に伝達して前記１対の雑巾支持板を回動させるための動力伝達部と、
前記ゴミ誘導溝内で吸引口と間隔をおきながら向かい合って突出形成され、前記吸引口周辺の吸引空間を減らすために吸引口と向かい合う対向面が前記吸引口の面積より大きい面積を有する異物係止部とを含むことを特徴とする真空掃除機の吸引ブラシ。
【請求項８】
前記タービンファンが、前記１対の支持円板との間に互いに対応する側に一端が重なり合うよう交互に配置された多数の翼部を含むことを特徴とする請求項７に記載の真空掃除機の吸引ブラシ。
【請求項９】
前記吸引口と向かい合う前記異物係止部の対向面間の間隔は１２．５ｍｍ〜１４．５ｍｍであることを特徴とする請求項７に記載の真空掃除機の吸引ブラシ。
【発明の詳細な説明】
【技術分野】
【０００１】
本発明は、真空掃除機の吸引ブラシに関し、詳細には雑巾の取り付けられた真空掃除機の吸引ブラシに関する。
【背景技術】
【０００２】
一般に、真空掃除機は真空モータによって発生する吸引力を用いて吸引ブラシが掃除面に沿って移動されながら掃除面のゴミや汚物を吸引し掃除を行なう装置である。
【０００３】
このような真空掃除機は、掃除面に散在しているゴミを取除くためにはある程度の効果があるものの、被掃除面に固着された汚物や染み付いた垢などは除去できない短所を持つ。この場合、掃除機で部屋などの床面に積もっているゴミを取除いた後、別の雑巾を用いてユーザが直接掃除面を吹くことで取り残っている固着異物や染み付いた垢などを取除かなければならない不便があった。
【０００４】
従来には係る問題を解決するために韓国登録特許第４４９４１５号に開示されている通りに、真空掃除機の吸引ブラシはゴミ除去および水雑巾の動作を同時に行なうことができるよう、吸引ブラシの内側に雑巾回動構造が備えられている。
【０００５】
雑巾回動構造は、外部空気の吸引力により回転するタービンファンと、このタービンファンの回転力を吸引ブラシ下部の両側に伝達する多数の駆動軸と、ギヤからなる動力伝達部材を通じて伝達され、雑巾を回転させるための１対の雑巾支持部材から構成されている。
【０００６】
ところで、かかるタービンファンの回転力を用いて雑巾を回動させる吸引ブラシは、図１に示すように、吸引ブラシ１内の吸引流路（Ｐ）上にタービンファン３が設けられることによって、ゴミの通過する吸引流路（Ｐ）が急激に狭くなる。このように狭くなった吸引流路（Ｐ）によって爪楊枝、タバコの吸い殻など、比較的に固くて長細い異物５が吸引流路（Ｐ）に吸引される時、異物５が吸引流路の長手方向に沿ってタービンファン３の終端と吸引ブラシ１の内周面との間の狭い空間（Ｓ１）から抜け出ず、この部分に挟まれてしまう。これにより、タービンファン３は異物５によって回転駆動できないことから雑巾（図示せず）の回動も止まり、雑巾動作を行なうことができない不具合がある。
【０００７】
さらに、前記空間（Ｓ１）にかかった異物５の強度がタービンファン３の翼部３ａと同じサイズ若しくは大きければ、翼部３ａが破損される恐れがある。前述した問題は根本的に吸引口の周辺に異物の流入を遮断するための別の構造が備えられていないことから発生する。
【０００８】
一方、従来技術は、タービンファン方式が駆動源を吸引モータによる吸引力に依存する間接駆動方式であって、モータと雑巾支持部が直接連結され雑巾支持部を回転させる直接駆動方式に比べて雑巾の回転数および回転トークを増加するにその限界がある。従って、被掃除面の表面がやや粗い場合、雑巾を円滑に回転し難い問題があって掃除効果が落ちてしまう恐れがある。
【特許文献１】韓国登録特許第４４９４１５号公報
【発明の開示】
【発明が解決しようとする課題】
【０００９】
本発明は前述した問題点を解決するために案出されたもので、本発明の目的は、固くて長細い異物が吸引通路内に流入されることを未然に遮断するための真空掃除機の吸引ブラシを提供することにある。
【００１０】
また、本発明の他の目的は、タービンファンの回転数を高めることのできる真空掃除機の吸引ブラシを提供することにある。
【課題を解決するための手段】
【００１１】
前述した目的を達成するために、本発明は被掃除面を掃除するためのクリーニング部材が結合され、底面に吸引口および被掃除面のゴミ含有空気を前記吸引口にガイドするためのゴミ流入溝が形成され、前記クリーニング部材を回動させるために吸引モータの吸引力によって駆動されるタービンファンを備えた真空掃除機の吸引ブラシであって、前記吸引通路に固いながらも長細い異物の流入を遮断すべく、前記吸引口周辺の吸引空間を縮小するために、前記ゴミ誘導溝内で前記吸引口と間隔をおいて前記吸引口に対応する位置に形成される異物係止部を更に含むことを特徴とする真空掃除機の吸引ブラシを提供する。
【００１２】
この場合、前記異物係止部の幅は前記吸引口の幅より大きく形成され、下端が前記吸入口の下端より低い位置まで形成されたことができる。
【００１３】
また、前記異物係止部は両側面が前記吸引口に向って斜めになっていて、底面が吸入口に向って斜めになっていることができる。これによって、ゴミ誘導溝を沿って流入されたり、異物係止部の下面から吸引口に向って流入される空気は吸引口側で円滑に流入されるようガイドされる。
【００１４】
これにより、固くて長細い異物が吸引口を介して吸引通路に流入されることを未然に遮断することで、異物の流入によりタービンファンの回転が止まったり若しくはタービンファンの翼部が破損される恐れを防止できる。
【００１５】
さらに、前記タービンファンが、１対の支持円板と、１対の支持円板との間で、一端が前記１対の支持円板のいずれか１つに結合し、他端が重なり合うよう交互に配置された多数の翼部と、を含むことができる。
【００１６】
これにより、吸引通路に吸引される空気の抵抗をさらに多く受けるよう前記多数の翼部の面積を増大させることによって、タービンファンの回転数および回転トークが増加されることにより、雑巾の回転数を増大させ被掃除面の掃除効率を向上させることができる。
【００１７】
また、前記吸引通路を複数の通路に設定するため、前記吸引通路内に前記吸引通路の長手方向に沿って形成された隔壁を更に含むことができ、前記隔壁により吸引通路を狭く設定することによって固くて長細い異物の吸引角度を直線方向に近く誘導できる。
【発明の効果】
【００１８】
本発明において、固くて長細い異物が吸引口を介し吸引通路に流入されることを未然に遮断することによって、異物の流入によりタービンファンの回転が止まったりタービンファンの翼部が破損されることを抑えることができる。
【００１９】
また、吸引通路に吸引される空気の抵抗をさらに受けるよう、多数の翼部の面積を増大させることによって、タービンファンの回転数および回転オークを増加させることができる、これによって、雑巾の回転数が高められ雑巾を円滑に回転させることから被掃除面の掃除効率性が向上される。
【発明を実施するための最良の形態】
【００２０】
以下、添付の図面に基づいて本発明の好適な実施形態を詳述する。
【実施例】
【００２１】
図２は本発明に係る真空掃除機の吸引ブラシを示す分離斜視図であり、図３は本発明の一実施の形態に係る真空掃除機の吸引ブラシを示す一部切開斜視図であり、図４は図２に示すタービンファンを示す斜視図であり、図５は図２に示す吸引ブラシの吸引口の底面を示す斜視図であり、図６は図５に示す吸引ブラシの吸引口を示し一部底面図であり、図７は図３に示すＡ方向からみた側断面図である。
【００２２】
まず、本発明の一実施の形態に係る吸引ブラシ１０は、通常の吸引モータおよび集塵装置を備えた掃除機本体と直接あるいは所定のフレキシブルホスを通じて連通可能に結合される。通常の吸引モータ、集塵装置、掃除機本体およびフレキシブルホスは様々な形状および構造で形成されるが、ここでは図示しない。
【００２３】
また、本発明に適用されるクリーニング部材としては、外周にブラシの取り付けられた回転ンブラシ、または雑巾を付着し回動させること、などに適用される。以下、本発明の一実施の形態では、クリーニング部材として雑巾を備えた吸引ブラシについて説明する。
【００２４】
図２に示すように、吸引ブラシ１０は、胴体１１と、該胴体１１の上部をカバーするカバー部１３と、雑巾４９（図３参照）を回動させるためのタービンファン３０と、動力伝達部４０とを含んでなる。
【００２５】
胴体１１は、底面に吸引口６２ａ、６２ｂ（図５参照）および被掃除面のゴミを空気と共に吸引口６２ａ、６２ｂにガイドするためのゴミ流入溝１５（図５参照）を形成している。また、胴体１１は、吸引口６２ａ、６２ｂに流入されるゴミおよび空気を集塵装置（図示せず）側にガイドするための吸引通路６１ａ、６１ｂ（図６参照）を含んでいる。
【００２６】
胴体１１の後方には、前記フレキシブルホス（図示せず）の一端に連通する結合管２３を備え、タービンファン３０の一部を取り囲むネック部２１が備えられる。
【００２７】
図３および図４に示すように、吸引通路６１ａ、６１ｂ上に設けられるタービンファン３０は、１対の支持円板３１ａ、３１ｂを備え、一端が１対の支持円板３１ａ、３１ｂのうちいずれか１つに固定し、他端３４ａ、３４ｂが自由端である多数の翼部３３ａ、３３ｂを含んでいる。この場合、多数の翼部３３ａ、３３ｂは他端３４ａ、３４ｂが互いに対応する方向が重なるよう交互に延長配置されている。
【００２８】
このように、互いに隣接する多数の翼部３３ａ、３３ｂが重なり合うよう配置されることによって、従来のタービンファンより多数の翼部３３ａ、３３ｂが重なる部分だけ多数の翼部３３ａ、３３ｂの面積は増大される。これにより多数の翼部３３ａ、３３ｂは吸引ブラシ１０の外部から内部に表示された図３における矢印の方向に沿って、吸引通路６１ａ、６１ｂに吸引される空気の抵抗が翼部３３ａ、３３ｂの増大された面積に比例した分増加し、タービンファン３０の回転数が増加される。これによりタービンファン３０の回転数と共に回転トークも増加して、動力伝達部４０にもっと大きい動力が提供される。このようなタービンファン３０の回転数の増加は雑巾４９の回転数を増加させることに繋がり、被掃除面の掃除効率が向上される利点を持つ。
【００２９】
一方、動力伝達部４０は、図２に示すようにタービンファン３０と共に回転する１対の駆動軸４１ａ、４１ｂと、１対の駆動軸４１ａ、４１ｂのウォーム４２ａ、４２ｂと噛み合う１対のウォームホイール４３ａ、４３ｂと、一端が１対のウォームホイール４３ａ、４３ｂの中央に結合されて動力の伝達方向を水平から垂直に転換させるための垂直軸４５ａ、４５ｂとを含んでなる。
【００３０】
１対の駆動軸４１ａ、４１ｂは、一端がタービンファン３０の結合穴３５（図４参照）にそれぞれ結合される。
【００３１】
図３に示すように、１対のウォームホイール４３ａ、４３ｂと共に回転する１対の垂直軸４５ａ、４５ｂは、他端が１対の雑巾支持部４５にそれぞれ結合され、１対の駆動軸４１ａ、４１ｂおよびウォームホイール４３ａ、４３ｂを介して順次伝達された回転力を前記１対の雑巾支持部４７にそれぞれ伝達し、１対の雑巾支持部４７を一方向に回転させる。
【００３２】
雑巾支持部４７および雑巾４９は１対からなるが、同じ構造からなっていることから図面には１つずつ図示する。
【００３３】
また、吸引通路６１ａ、６１ｂは、吸引通路６１ａ、６１ｂ内で長手方向に沿って形成された隔壁６３（図６参照）によって２つに分割される。これにより、吸引通路６１ａ、６１ｂの幅（ｗ１）がほぼ半分になるので、爪楊枝のなどの固くて長細い異物５が吸引口６２ａ、６２ｂに流入される時、流入される角度をほぼ直線近くまで誘導することができる（図８Ａ参照）。
【００３４】
ゴミ誘導溝１５（図５参照）内に突出形成された異物係止部５０は、図６に示すように、吸引口６２ａ、６２ｂと所定間隔Ｄ（１２．５ｍｍ〜１４．５ｍｍ）をおいて互いに向かい合うよう突出されることにより、吸引口６２ａ、６２ｂ周辺のゴミ流入空間を縮小する。即ち、異物係止部５０は、幅（Ｗ３）が吸引口６２ａ、６２ｂの幅（Ｗ２）より大きい幅からなり（Ｗ２＜Ｗ３）、図７に示すように、下端が吸引口６２ａ、６２ｂの下端よりＨだけ低い位置まで形成される。ここで、間隔Ｄは、吸引口６２ａ、６２ｂに流入される所定長さを有する異物５（図８Ａ参照）の長さに対応して設定でき、前記間隔Ｄは吸引口６２ａ、６２ｂに流入されるゴミおよび空気の流入量と真空掃除機の吸引モータの性能などを考慮して設定することもできる。
【００３５】
このように本発明の一実施の形態では、異物係止部５０を備えることで、図８Ａに示すように、従来に比べて幅の狭くなった吸引通路６１ａ、６１ｂによって吸引通路６１ａ、６１ｂに流入される固くて長細い異物５の吸引される角度がほぼ直線方向に近く整列される。よって、図８Ｂに示すように、異物５はその後端が異物係止部５０にかかって異物５の流入角度が水平方向より大きい角度を有するよう誘導される。従って、異物５は、その先端が吸入通路６１ａ、６１ｂの上面６５ａ（図７参照）、側面６５ｂ（図６参照）あるいは隔壁６３などにかかってしまい、吸引通路６１ａ、６１ｂへの流入が完全に遮断される。
【００３６】
これにより、異物５が吸引口６２ａ、６２ｂを通過して吸引通路６１ａ、６１ｂ内に流入され、タービンファン３０と胴体１１、あるいはカバー１３の空間（Ｓ２）に挟まれることを抑えることができる。それと共に、異物５によりタービンファン３０の回転が拘束されたり、タービンファン３０の翼部３３ａ、３３ｂが破損されることを防止する。
【００３７】
また、異物係止部５０は、図６に示すように、両側面５３が吸引口６２ａ、６２ｂに向って所定の角度斜めに形成されている。また、図７に示すように、底面５５が吸引口６２ａ、６２ｂに向って上向き所定の角度斜めに形成されることもできる。
【００３８】
このように、異物係止部５０の側面５３および底面５５が傾斜される場合、図８Ａに示すように、ゴミ誘導溝１５に沿って流入されたりスペーサー１７との間の凹溝部１８を通じて異物係止部５０の下面から吸引口６２ａ、６２ｂに向って流入される空気は吸引口６２ａ、６２ｂ側に円滑流入されることができる。
【００３９】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４０】
【図１】従来の真空掃除機の吸引ブラシ内に長い異物が挟まれた状態を示す一部断面図である。
【図２】本発明の一実施の形態に係る真空掃除機の吸引ブラシを示す分解斜視図である。
【図３】本発明の一実施の形態に係る真空掃除機の吸引ブラシを示す一部切開斜視図である。
【図４】図２に示すタービンファンを示す斜視図である。
【図５】図２に示す吸引ブラシの吸引口の底面を示す斜視図である。
【図６】図５に示す吸引ブラシの吸引口を示す一部底面図である。
【図７】図３に示すＡ方向からみた状態を示し側断面図である。
【図８Ａ】異物が異物係止部により吸引口にかかっている状態を示す底面図および側断面図である。
【図８Ｂ】異物が異物係止部により吸引口にかかっている状態を示す底面図および側断面図である。
【符号の説明】
【００４１】
１０              吸引ブラシ
１１              胴体
３０              タービンファン
３４ａ、３４ｂ    翼部の他端
５０              異物係止部
６１ａ、６１ｂ    吸引通路
６２ａ、６２ｂ    吸引口
【図１】
2007185486.tif 000003
【図２】
2007185486.tif 000004
【図３】
2007185486.tif 000005
【図４】
2007185486.tif 000006
【図５】
2007185486.tif 000007
【図６】
2007185486.tif 000008
【図７】
2007185486.tif 000009
【図８Ａ】
2007185486.tif 000010
【図８Ｂ】
2007185486.tif 000011